(57)【要約】【課題】ランプとは別の部品を操作することによって、ランプ及びソケットの上下操作を可能とし、ランプの交換性を損なうことなく、ランプが点灯中及び消灯直後の高熱状態にあっても、当該操作を可能とする照明器具を提供する。【解決手段】反射板４の下面の開口部付近まで垂れ下がっている操作把手５ａを握り、下方に引っ張ることによって、非可動部８に対して可動部１０を下方に移動し、器具本体取付部９ａの弾性部材固定穴９ｂに、第２弾性部材湾曲部７ｃが嵌入し、非可動部８と可動部１０とが再び固定される。【選択図】図６
2013218887.tif 000002
【特許請求の範囲】
【請求項１】
ランプが装着可能なソケットと、
該ソケットを支持するソケット台と、
前記ソケット側、及び、前記ランプの照射側が開口した筒状を呈し、その内面に光を反射する反射面が形成された反射板と、
該反射板を固定する器具本体と、
該器具本体に固定され、前記ソケット台を、前記反射板における前記ソケット側の開口部から前記ランプの照射側の開口部へ向かう向き、かつ、前記反射板における前記ランプの照射側の前記開口部から前記反射板における前記ソケット側の前記開口部へ向かう向きに沿って、移動可能なようにガイドをする弾性部材と、
前記ソケット又は前記ソケット台に取り付けられ、前記反射板における前記ソケット側の前記開口部から前記ランプの照射側の前記開口部へ向かう向きに前記ガイドの方向に沿って前記ソケット台を移動させるための操作部と、
を備えた
ことを特徴とする照明器具。
【請求項２】
前記弾性部材は、板形状を呈し、前記器具本体の外側面に固定され、前記ガイドの方向に沿って複数の湾曲部を有し、
前記器具本体は、固定される前記弾性部材の前記各湾曲部に対向する位置にそれぞれ弾性部材取付穴が穿設され、
前記弾性部材の前記各湾曲部は、前記器具本体の前記外側面からそれぞれ前記弾性部材取付穴に嵌入して、該外側面の反対側の内面よりも内側に突き抜けるように形成され、
前記ソケット台は、前記操作部によって前記ガイドの方向にそって移動される場合に、前記器具本体の前記内面に沿って移動する移動面を有し、該移動面には、弾性部材固定穴が穿設され、
該弾性部材固定穴に、前記器具本体の前記内面より内側に突き抜けた複数の前記湾曲部のうちいずれかが嵌入することによって、前記器具本体に対して前記ソケット台が固定される
ことを特徴とする請求項１記載の照明器具。
【請求項３】
前記弾性部材は、前記ガイドの方向の一方の端部が前記器具本体の前記外側面に固定され、
前記ソケット台は、前記ガイドの方向に沿って移動する際に、前記弾性部材固定穴に嵌入している前記弾性部材の前記湾曲部が、該弾性部材固定穴の周縁部によって押されることによって、前記弾性部材が前記器具本体の固定された部分を軸に、前記器具本体の前記外側面から撓んで浮き上がり、該湾曲部の隣の前記湾曲部が、前記弾性部材固定穴に対応する位置まで前記ソケット台が移動すると、前記弾性部材の弾性力によって、浮き上がりが元に戻って、隣の該湾曲部が前記弾性部材固定穴に嵌入し、前記器具本体に対して前記ソケット台が固定される
ことを特徴とする請求項１又は請求項２記載の照明器具。
【請求項４】
前記ランプが前記ソケットに装着されている場合に、前記ランプが前記ソケット側の方向に押されることによって、前記反射板における前記ランプの照射側の前記開口部から前記反射板における前記ソケット側の前記開口部へ向かう向きに、前記ソケット台が前記ガイドの方向に沿って移動可能とする
ことを特徴とする請求項１〜請求項３のいずれか一項に記載の照明器具。
【請求項５】
前記操作部は、前記ソケット又は前記ソケット台に複数取り付けられた
ことを特徴とする請求項１〜請求項４のいずれか一項に記載の照明器具。
【発明の詳細な説明】
【技術分野】
【０００１】
本発明は、照明器具に関し、特に、ランプの取り付け及び取り外し構造に関する。
【背景技術】
【０００２】
従来の照明器具として、ランプの交換を簡易化するために、ソケットを取り付けている金具を、弾性部材を使用して上下に可動させることのできるものがある（例えば、特許文献１参照）。
【先行技術文献】
【特許文献】
【０００３】
【特許文献１】特開２００１−１８４９３２号公報（第３頁、図３）
【発明の概要】
【発明が解決しようとする課題】
【０００４】
しかしながら、特許文献１に記載された照明器具は、ソケットを取り付けている金具を上下に移動させる際に、ランプ自体に触れて操作しなければならないため、点灯中及び消灯直後に操作をしようとすると、ランプは発熱して高温状態になっているため、熱的問題によって怪我等を引き起こす可能性があるという問題点があった。
【０００５】
また、上記のように高温状態にあるランプを移動操作する場合、ランプに触れることによる怪我等を回避するため、ランプを冷ます時間を要し、ランプの交換作業に手間がかかってしまうという問題点があった。
【０００６】
本発明は、上記のような課題を解決するためになされたものであり、ランプとは別の部品を操作することによって、ランプ及びソケットの上下操作を可能とし、ランプの交換性を損なうことなく、ランプが点灯中及び消灯直後の高熱状態にあっても、当該操作を可能とする照明器具を提供することを目的とする。
【課題を解決するための手段】
【０００７】
本発明に係る照明器具は、ランプが装着可能なソケットと、該ソケットを支持するソケット台と、前記ソケット側、及び、前記ランプの照射側が開口した筒状を呈し、その内面に光を反射する反射面が形成された反射板と、該反射板を固定する器具本体と、該器具本体に固定され、前記ソケット台を、前記反射板における前記ソケット側の開口部から前記ランプの照射側の開口部へ向かう向き、かつ、前記反射板における前記ランプの照射側の前記開口部から前記反射板における前記ソケット側の前記開口部へ向かう向きに沿って、移動可能なようにガイドをする弾性部材と、前記ソケット又は前記ソケット台に取り付けられ、前記反射板における前記ソケット側の前記開口部から前記ランプの照射側の前記開口部へ向かう向きに前記ガイドの方向に沿って前記ソケット台を移動させるための操作部と、を備えたものである。
【発明の効果】
【０００８】
本発明によれば、点灯中、消灯直後及び故障直後の高温状態にあるランプに直接触れることなく、ランプとは別部材の操作部を下方に引っ張ることによって、器具本体に対してソケット台を下方に移動させて、ランプを反射板の下側の開口部近くに引き寄せることができるので、ランプの交換の作業性を向上させることができると共に、ランプに触れることによる火傷等の怪我を防止することができる。
【図面の簡単な説明】
【０００９】
【図１】本発明の実施の形態１に係る照明器具１の外観斜視図である。
【図２】本発明の実施の形態１に係る照明器具１における非可動部８の外観斜視図である。
【図３】本発明の実施の形態１に係る照明器具１における可動部１０の外観斜視図である。
【図４】本発明の実施の形態１に係る照明器具１の通常状態における非可動部８と可動部１０との固定態様を示す図である。
【図５】本発明の実施の形態１に係る照明器具１において通常状態から可動部１０を非可動部８から下方に移動させる場合の過渡状態を示す図である。
【図６】本発明の実施の形態１に係る照明器具１のランプ交換時における非可動部８と可動部１０との固定態様を示す図である。
【発明を実施するための形態】
【００１０】
実施の形態１．
（照明器具１の構造）
図１は、本発明の実施の形態１に係る照明器具１の外観斜視図であり、図２は、当該照明器具１における非可動部８の外観斜視図であり、そして、図３は、当該照明器具１における可動部１０の外観斜視図である。なお、以下、照明器具１が照射側空間（例えば、居住空間）の天井に設置された状態を基準に上下方向を定めて説明するものとする。
【００１１】
図１〜図３で示されるように、本実施の形態に係る照明器具１は、非可動部８と、可動部１０とから構成されている。
【００１２】
非可動部８は、図２で示されるように、器具本体３と、その器具本体３に固定される反射板４と、照明器具１を照射側空間の天井の開口部に固定するための取付ばね６と、器具本体３に固定され、可動部１０をガイドして固定する弾性部材７と、を備えている。
【００１３】
器具本体３は、反射板４を固定し、可動部１０を上下方向にガイドする機能を有する。器具本体３の矩形の板状の上面には、ソケット挿通穴３ａが開口されて形成されており、後述するように、非可動部８のソケット２がこのソケット挿通穴３ａを挿通する。また、器具本体３の矩形状の上面板の四辺端部のうち対向する端部からそれぞれ下方に向かって、板状の反射板取付部３ｂが延設して形成されており、この反射板取付部３ｂのそれぞれの下側端部において、後述する反射板４の反射板取付部４ｂがねじ止めされて、器具本体３に反射板４が固定されている。また、器具本体３の矩形状の上面板の反射板取付部３ｂが延設されていない四辺端部のうち残りの対向する端部からそれぞれ下方に向かって、板状の弾性部材取付部３ｃが延設して形成されている。この弾性部材取付部３ｃのそれぞれの下側部には、板状の反射板取付板３ｆの一端が取り付け（ねじ止め）されており、他端は反射板４の外側面に固定（例えば、ねじ止め）されており、これによっても、器具本体３に反射板４が固定される態様となっている。
【００１４】
反射板４は、アルミニウム等の板状等をヘラ絞り加工等で生成され、下方に向かって末広がりとなった筒状（椀形状）を呈しており、上面及び下面が開口している。この上面の開口部の周縁部から上方に向かって、円筒形状に反射板取付部４ｂが立設して形成されている。前述のように、この反射板取付部４ｂに、器具本体３の反射板取付部３ｂの下側端部がねじ止めされる。また、反射板４の下面の開口部の周辺部から外側にむかってフランジ状の周縁部が形成されている。また、反射板４の内面であって、後述するランプ１１から発する光を反射する反射面４ａは、バッフル形状となっている。
なお、反射面４ａは、図２で示されるようなバッフル形状に限定されるものではなく、アルマイト処理が施された銀色の鏡面又は反鏡面仕上げ等を施すものとしてもよい。
【００１５】
取付ばね６は、照射側空間の天井に開けられた開口部に、前述の反射板４のフランジ状の周縁部を固定し、これによって、照明器具１全体を天井に固定するものである。
【００１６】
弾性部材７は、器具本体３の２つの弾性部材取付部３ｃの外側面の上部にそれぞれ固定された金属製の板形状のものである。後述する図４等で示されるように、弾性部材７は、なだらかな山形状を呈した湾曲部が２箇所において形成されており、上から第１弾性部材湾曲部７ｂ、第２弾性部材湾曲部７ｃと呼称するものとする。また、弾性部材７の上部は、弾性部材取付ねじ７ａによって弾性部材取付部３ｃの外側面に固定され、かつ、第１弾性部材湾曲部７ｂ及び第２弾性部材湾曲部７ｃの頂部が内側（弾性部材取付部３ｃ側）に向くように固定される。そして、弾性部材取付部３ｃには、前述の第１弾性部材湾曲部７ｂ及び第２弾性部材湾曲部７ｃが嵌入する穴である第１弾性部材取付穴３ｄ及び第２弾性部材取付穴３ｅがそれぞれ穿設されている。この第１弾性部材湾曲部７ｂは、第１弾性部材取付穴３ｄに嵌入し、第１弾性部材湾曲部７ｂの頂部は、弾性部材取付部３ｃの内面より内側に突き抜ける態様で、弾性部材７は弾性部材取付部３ｃに固定される。第２弾性部材湾曲部７ｃ及び第２弾性部材取付穴３ｅについても同様である。
【００１７】
なお、弾性部材７は金属製としたが、十分な強度を確保し弾性を示す素材であれば非金属製のものでもよい。
また、図４で示されるように、弾性部材７の上部が弾性部材取付部３ｃの外側面に固定されているものとしたが、これに限定されるものではなく、弾性部材７の下部が当該外側面に固定されるものとしてもよい。
【００１８】
可動部１０は、図３で示されるように、ランプ１１（図３において図示せず）が装着され当該ランプ１１に電源を供給するソケット２と、そのソケット２を支持するソケット台９と、そのソケット台９に取り付けられ、後述するように、可動部１０を非可動部８に対して下方に移動操作するための操作紐５と、を備えている。
【００１９】
ソケット２は、ランプ１１を装着させるものであり、装着したランプ１１に電源を供給するものである。このソケット２の本体は、前述のように器具本体３の上面に形成されたソケット挿通穴３ａを挿通し、この場合、装着されたランプ１１が下側に向くように設置される。このようにソケット２がソケット挿通穴３ａに挿通した状態において、器具本体３の上面よりも上側に位置する部分（以下、「ソケット上側部分」という）は、ソケット挿通穴３ａを通過して、器具本体３の上面の下側に移動しないように、照明器具１の上面視において、ソケット挿通穴３ａの面積よりも、ソケット上側部分の面積が大きくなるよに形成されている。
なお、ソケット上側部分は、ソケット挿通穴３ａを通過して、器具本体３の上面の下側に移動しないような形状であればよい。例えば、照明器具１の上面視において、少なくとも、ソケット挿通穴３ａの特定方向の開口径が、ソケット上側部分の当該特定方向の径よりも大きいものとすれば、ソケット上側部分は、ソケット挿通穴３ａを通過して、器具本体３の上面の下側に移動しないようにすることができる。
【００２０】
ソケット台９は、板状の金属部材によって、ソケット２のランプ１１の装着面以外の部分を囲うようにして支持するものである。そして、ソケット台９は、ソケット２のランプ１１の装着面の両端側から下方に向って板状部材が延設されており、この延設部分には、その下側部分が外側に向かうような段差形状の器具本体取付部９ａがそれぞれ形成されており、この器具本体取付部９ａに、それぞれ弾性部材固定穴９ｂが穿設されている。さらに、この器具本体取付部９ａの下側の先端部分は、内側に屈曲した先端屈曲部９ｃがそれぞれ形成されている。この先端屈曲部９ｃは、ソケット台９の段差形状部分の下側の先端部分を、折り曲げ加工によって形成してもよく、あるいは、Ｒ形状となるように加工してもよい。
【００２１】
操作紐５は、器具本体取付部９ａのうち一方の段差部分（略水平面となる部分）に取り付けられており、その下側先端には、使用者が握って可動部１０を非可動部８に対して下方に移動操作するための樹脂製又は金属製の操作把手５ａが取り付けられている。
【００２２】
なお、図３で示されるように、操作紐５は、器具本体取付部９ａのうち一方の段差部分（略水平面となる部分）に取り付けられているものとしているが、これに限定されるものではない。すなわち、２つの器具本体取付部９ａの双方に操作紐５が取り付けられるものとしてもよい。これによって、後述するように、操作紐５に取り付けられた操作把手５ａを下方に引っ張って非可動部８に対して可動部１０を下方に移動させる場合に、２つの操作把手５ａを下方に引っ張ることによって、より安定的に可動部１０を移動させることができる。さらに、ソケット台９の形状によっては、３つ以上の操作紐５を取り付けることも可能である。
【００２３】
また、操作紐５は、図３で示されるように、ソケット２を支持するソケット台９に取り付けられるものとしているが、これに限定されるものではなく、例えば、ソケット２に操作紐５の取付部を形成し、その取付部に操作紐５を取り付けるものとしてもよい。
【００２４】
なお、操作紐５及び操作把手５ａは、本発明の「操作部」に相当する。
【００２５】
（通常状態における非可動部８と可動部１０との固定構造）
図４は、本発明の実施の形態１に係る照明器具１の通常状態における非可動部８と可動部１０との固定態様を示す図である。ここで、「通常状態」とは、ランプ１１を点灯させるための照明器具１の状態をいうものとする。
【００２６】
図４で示され、かつ、前述したように、器具本体３における２つの弾性部材取付部３ｃには、それぞれ弾性部材７が弾性部材取付ねじ７ａによって固定されている。その固定された弾性部材７における第１弾性部材湾曲部７ｂ及び第２弾性部材湾曲部７ｃの頂部は、それぞれ弾性部材取付部３ｃに穿設された第１弾性部材取付穴３ｄ及び第２弾性部材取付穴３ｅに嵌入して弾性部材取付部３ｃの内面より内側に突き抜けている。ここで、可動部１０におけるソケット２が、非可動部８における器具本体３のソケット挿通穴３ａに挿通した状態において、弾性部材取付部３ｃにおける弾性部材７が固定された部分と、ソケット台９の器具本体取付部９ａとは対向する配置関係となる。そして、第１弾性部材取付穴３ｄに嵌入し頂部が弾性部材取付部３ｃの内面より内側に突き抜けた第１弾性部材湾曲部７ｂは、さらに、器具本体取付部９ａに穿設された弾性部材固定穴９ｂにそれぞれ嵌入することによって、非可動部８と可動部１０とが固定されることになる。さらに、この状態において、第２弾性部材取付穴３ｅに嵌入し頂部が弾性部材取付部３ｃの内面より内側に突き抜けた第２弾性部材湾曲部７ｃは、器具本体取付部９ａの先端屈曲部９ｃに当接し、非可動部８と可動部１０とのより安定的な固定状態に寄与する。また、この状態においては、操作紐５に取り付けられた操作把手５ａは、図１で示されるように、反射板４の下面の開口部付近まで垂れ下がっている。
【００２７】
なお、器具本体取付部９ａの弾性部材取付部３ｃへの対向面は、本発明の「移動面」に相当する。
【００２８】
（照明器具１におけるランプ１１の交換態様）
図５は、本発明の実施の形態１に係る照明器具１において通常状態から可動部１０を非可動部８から下方に移動させる場合の過渡状態を示す図であり、図６は、当該照明器具１のランプ交換時における非可動部８と可動部１０との固定態様を示す図である。以下、図５及び図６を参照しながら、本実施の形態に係る照明器具１において、ランプ１１を交換する場合の手順を説明する。
【００２９】
まず、使用者は、ランプ１１の点灯中、ランプ１１を消灯した直後、あるいは、ランプ１１が故障した直後のランプ１１は高熱状態であって、接触すると火傷等の怪我を引き起こす可能性があるので、ランプ１１への接触は避ける。また、この状態においては、ランプ１１は、反射板４の下側の開口部から上側の奥側のソケット２に取り付けられているので、手を挿入してランプ１１の交換作業をするには著しく作業性が低い。
【００３０】
次に、使用者は、反射板４の下面の開口部付近まで垂れ下がっている操作把手５ａを握り、下方に引っ張ることによって、非可動部８に対して可動部１０を下方に移動させる。これによって、図５で示されるように、器具本体取付部９ａの弾性部材固定穴９ｂに嵌入していた第１弾性部材湾曲部７ｂが、弾性部材固定穴９ｂの上側周縁部によって外側方向に押され、これによって、弾性部材７の第２弾性部材湾曲部７ｃを含む下側部分が、弾性部材取付部３ｃの外側方向に撓んで浮き上がる。
【００３１】
さらに、使用者が操作把手５ａを下方に引っ張ることによって、非可動部８に対して可動部１０を下方に移動させると、図６で示されるように、弾性部材７の弾性力によって弾性部材７の下側部分の浮き上がりは元に戻ると同時に、器具本体取付部９ａの弾性部材固定穴９ｂには、第２弾性部材湾曲部７ｃが嵌入することになる。これによって、非可動部８と可動部１０とが再び固定されることになると同時に、通常状態と比較して、可動部１０は非可動部８に対して下方に移動した状態、すなわち、ソケット２に装着されたランプ１１が反射板４の下側の開口部に近づいた状態となる。これによって、ランプ１１の交換作業がしやすくなる。また、この状態においては、器具本体取付部９ａの弾性部材固定穴９ｂには、第２弾性部材湾曲部７ｃが嵌入して、非可動部８と可動部１０とが固定された状態にあるので、ランプ１１の交換の作業性は飛躍的に向上する。
【００３２】
ランプ１１の交換後、使用者は、ランプ１１を持って、非可動部８に対して可動部１０を上方に押し上げる。これによって、器具本体取付部９ａの弾性部材固定穴９ｂに嵌入していた第２弾性部材湾曲部７ｃが、弾性部材固定穴９ｂの下側周縁部によって外側方向に押され、これによって、弾性部材７の下側部分が、弾性部材取付部３ｃの外側方向に撓んで浮き上がる。
【００３３】
さらに、使用者がランプ１１を持って可動部１０を上方に押し上げると、図４で示されるように、弾性部材７の弾性力によって弾性部材７の下側部分の浮き上がりは元に戻ると同時に、器具本体取付部９ａの弾性部材固定穴９ｂには、第１弾性部材湾曲部７ｂが再び嵌入し、非可動部８と可動部１０とが再び固定されることになり通常状態に戻る。
【００３４】
（実施の形態１の効果）
以上の構成のように、点灯中、消灯直後及び故障直後の高温状態にあるランプ１１に直接触れることなく、ランプ１１とは別部材の操作紐５に取り付けられた操作把手５ａを下方に引っ張ることによって、非可動部８に対して可動部１０を下方に移動させて、ランプ１１を反射板４の下側の開口部近くに引き寄せることができるので、ランプ１１の交換の作業性を向上させることができると共に、ランプ１１に触れることによる火傷等の怪我を防止することができる。
【００３５】
また、操作把手５ａを下方に引っ張り、ランプ１１を反射板４の下側の開口部近くに引き寄せた場合、非可動部８と可動部１０とが固定状態となるので、ランプ１１の交換の作業性を飛躍的に向上させることができる。
【００３６】
なお、図６で示される非可動部８と可動部１０との固定状態において、ランプ１１の交換を行うものとしたが、これに限定されるものではない。すなわち、この図６で示される状態は、ランプ１１の交換を行うのみならず、非可動部８と可動部１０とは固定状態にあるので、ランプ１１を点灯させるための通常状態としての役割を果たすことも可能である。これによって、図４で示される通常状態とは異なる遮光角及び配光特性が得られるので、バリエーションに富む照明状態を得ることができる。
【００３７】
さらに、図４で示されるように、弾性部材取付部３ｃの固定される弾性部材７は、第１弾性部材湾曲部７ｂ及び第２弾性部材湾曲部７ｃの２つの湾曲部を有し、それぞれが、器具本体取付部９ａの弾性部材固定穴９ｂに嵌入することによって、非可動部８と可動部１０との固定状態として、図４及び図６で示される２つの状態が得られるが、これに限定されるものではない。すなわち、弾性部材７の湾曲部を３つ以上形成し、非可動部８と可動部１０との固定状態が３つ以上得られるものとしてもよい。これによって、遮光角及び配光特性の種類を増やすことが可能となり、よりバリエーションに富んだ照明状態を有する照明器具１を得ることができる。この場合、可動部１０が非可動部８に対して最も下方に移動させた固定状態において、ランプ１１の交換作業を行うものとすればよい。
【符号の説明】
【００３８】
１  照明器具、２  ソケット、３  器具本体、３ａ  ソケット挿通穴、３ｂ  反射板取付部、３ｃ  弾性部材取付部、３ｄ  第１弾性部材取付穴、３ｅ  第２弾性部材取付穴、３ｆ  反射板取付板、４  反射板、４ａ  反射面、４ｂ  反射板取付部、５  操作紐、５ａ  操作把手、６  取付ばね、７  弾性部材、７ａ  弾性部材取付ねじ、７ｂ  第１弾性部材湾曲部、７ｃ  第２弾性部材湾曲部、８  非可動部、９  ソケット台、９ａ  器具本体取付部、９ｂ  弾性部材固定穴、９ｃ  先端屈曲部、１０  可動部、１１  ランプ。
【図１】
2013218887.tif 000003
【図２】
2013218887.tif 000004
【図３】
2013218887.tif 000005
【図４】
2013218887.tif 000006
【図５】
2013218887.tif 000007
【図６】
2013218887.tif 000008